(57)【特許請求の範囲】
【請求項１】
所定の記録媒体に記録されている映像及び音声のうちから所望の映像及び音声を順次抽出して編集作業を行う編集装置において、
上記記録媒体から得られる音声信号を所定数の互いに異なる周波数成分に分割する帯域分割手段と、
上記各周波数成分におけるそれぞれの振幅成分に基づいて当該各振幅成分のエンベロープを検出してグラフイツク化するグラフイツク化手段と、
上記各振幅成分のエンベロープを表示する表示手段と
を具え、上記グラフイツク化手段は、上記各振幅成分のエンベロープにそれぞれ所定の色を割り当てると共に、上記各振幅成分のエンベロープを順次振幅方向に積み重ねるように合成してグラフイツク化する
ことを特徴とする編集装置。
【請求項２】
所定の記録媒体に記録されている映像及び音声のうちから所望の映像及び音声を順次抽出して編集作業を行う編集装置において、
上記記録媒体から得られる音声信号を所定数の互いに異なる周波数成分に分割する帯域分割手段と、
上記各周波数成分におけるそれぞれの振幅成分に基づいて当該各振幅成分のエンベロープを検出してグラフイツク化するグラフイツク化手段と、
上記各振幅成分のエンベロープを表示する表示手段と
を具え、上記グラフイツク化手段は、上記各振幅成分のエンベロープに所定の色を濃度が異なるようにそれぞれ割り当てると共に、上記振幅成分のエンベロープを順次振幅方向に積み重ねるように合成してグラフイツク化する
ことを特徴とする編集装置。
【発明の詳細な説明】
【０００１】
【目次】
以下の順序で本発明を説明する。
産業上の利用分野
従来の技術（図５及び図６）
発明が解決しようとする課題
課題を解決するための手段（図１〜図４）
作用（図１〜図４）
実施例（図１〜図４）
発明の効果
【０００２】
【産業上の利用分野】
本発明は編集装置に関し、例えばＶＴＲ、ハードデイスク及び光デイスク装置等から得られるテレビジヨン映像信号及び音声信号を編集する編集装置に適用して好適なものである。
【０００３】
【従来の技術】
従来、この種の編集装置として、図５に示すようなノンリニア編集システム１が提案されており、外部のカメラ一体型ＶＴＲ２及び３による撮像結果が記録されたビデオテープ４及び５に基づいて、当該撮像結果に基づく映像及び音声に所定の編集作業を施した後、再生時において当該編集作業に基づく所定の画像効果及び音声効果を生じさせるようになされている。
【０００４】
ノンリニア編集システム１においては、まずビデオテープ４及び５をそれぞれ再生用ＶＴＲ６に装填した後、当該再生用ＶＴＲ６は、ビデオテープ４及び５から得られた映像信号Ｓ１、Ｓ２及び音声信号Ｓ３、Ｓ４と、当該映像信号Ｓ１、Ｓ２にそれぞれ同期したタイムコード信号（図示せず）とをハードデイスク７に送出する。
【０００５】
またハードデイスク７には、コントローラ８からオペレータの制御指令に基づくタイムコードＳ５が入力されるようになされ、これによりハードデイスク７は映像信号Ｓ１、Ｓ２及び音声信号Ｓ３、Ｓ４をそれぞれ記録した後、入力されたタイムコード信号Ｓ５に基づいて、当該記録されている映像信号Ｓ１、Ｓ２及び音声信号Ｓ３、Ｓ４のうち当該タイムコード信号Ｓ５に対応する映像信号Ｓ６、Ｓ７及び音声信号Ｓ８、Ｓ９を順次抽出してグラフイツク回路９に送出する。
【０００６】
グラフイツク回路９において、映像信号Ｓ６、Ｓ７及び音声信号Ｓ８、Ｓ９はそれぞれ映像グラフイツク回路１０及び音声グラフイツク回路１１に送出され、当該映像グラフイツク回路１０及び音声グラフイツク回路１１においてグラフイツク化された後、それぞれ映像データＤ１及び音声データＤ２としてグラフイツク合成回路１２に供給される。
【０００７】
グラフイツク合成回路１２は、グラフイツク化された映像データＤ１及び音声データＤ２を合成してこれを映像音声合成データＤ３として大画面高細度モニタ１３に送出する。かくして大画面高細度モニタ１３の表示画面１３Ａ上に、映像音声合成データＤ３に基づく画像が表示される。
【０００８】
このようにノンリニア編集システム１を用いてビデオテープ４及び５を編集することにより、編集済のビデオテープを再生する場合と同様の効果を得ることができる。またこの場合、ビデオテープ等の記録媒体から別の記録媒体へ映像や音声をダビングしながら編集する必要がないため、オペレータが編集開始点及び編集終了点を決めるのみで編集作業を終了させることができる。従つて、編集に要する時間は、編集開始点及び編集終了点をどれだけ効率良く決定できるかによつて決められる。
【０００９】
ここで図６に示すように、大画面高細度モニタ１３の表示画面１３Ａ上には、編集開始点及び編集終了点を検索するための情報（以下、これを検索情報と呼ぶ）が表示されている。
この表示画面１３Ａ上に表示された検索情報において、Ａ段及びＢ段はそれぞれビデオテープ４及び５から得られた映像信号Ｓ１、Ｓ２に基づく映像の各10分間分を表したものであり、具体的には当該各10分間分の映像をそれぞれ１分間毎に10個に区切り、各々の区切りの最初の１フレーム目の画面（以下、これを見出しフレーム画面と呼ぶ）をそれぞれＡ1 〜Ａ10及びＢ1 〜Ｂ10として表示したものである。またＥ段及びＦ段は、見出しフレーム画面Ａ1 〜Ａ10及びＢ1 〜Ｂ10に同期したタイムコード信号をそれぞれ見出しフレーム画面Ａ1 〜Ａ10及びＢ1 〜Ｂ10に対応して記号として表示したものである。
【００１０】
またＰ段は、オペレータによつて選定された所望の編集画面を構成する第１〜第４カツト（ＣＵＴ−１〜ＣＵＴ−４）を表示したものである。
この場合、まず第１カツトを決定するにあたつて、オペレータは表示画面１３Ａ上の検索情報を目視確認しながらコントローラ８を操作制御することによつて、Ａ段及びＢ段に表示されている複数の見出しフレーム画面Ａ1 〜Ａ10及びＢ1 〜Ｂ10の中から編集開始点（ＩＮ点）を選びだすための見出しフレーム画面Ａ3 と編集終了点（ＯＵＴ点）を選び出すための見出しフレーム画面Ａ5 とをそれぞれ選定する。
【００１１】
続いて、オペレータは、見出しフレーム画面Ａ3 の１分間のフレームから編集開始点を秒単位又はフレーム単位で選び出した後、見出しフレーム画面Ａ5 の１分間のフレームから編集終了点を秒単位又はフレーム単位で選び出す。
以下同様に第２〜第４カツトにおいても同様の操作を実行することにより各カツトの編集開始点及び編集終了点を検索する。かくして第１〜第４カツトで指定された画面をＰ段のラインに順次並べることにより、ビデオテープ４及び５から得られた映像信号Ｓ１、Ｓ２に基づく映像の各10分間分の中から所望の編集画面を得ることができる。
【００１２】
このようにして得られた編集画面は、各カツト毎にそれぞれ対応するタイムコード信号Ｓ５に基づいて、ハードデイスク７から映像信号Ｓ６、Ｓ７及び音声信号Ｓ８、Ｓ９として順次抽出され、グラフイツク回路９を介して画像変換される。かくして、編集作業を終了した後の映像及び音声を順次再生することができる。
【００１３】
また図６に示すように、Ｓ段はＰ段のラインに順次並べられた第１〜第４カツトのうち第１及び第２カツトについて、映像信号Ｓ１、Ｓ２に対応する音声信号Ｓ３、Ｓ４の波形を基準軸Ｘを中心に振幅のエンベロープとして表したものである。すなわちＰ段は映像を基準にした編集画面の表示であり、一方Ｓ段は音声を基準にした編集画面の表示である。
【００１４】
この場合、まず第１カツトの編集開始点及び編集終了点を検索するにあたつて、オペレータは表示画面１３Ａ上の検索情報を目視確認しながらコントローラ８に設けられたジヨグダイヤル（図示せず）を操作制御することによつて、音声信号Ｓ３、Ｓ４に基づいて表される振幅のエンベロープ内で基準軸Ｘ上に沿つてカーソルを移動させて所望の編集開始点及び編集終了点を検索する。以下同様に第２〜第４カツトにおいても同様の操作を実行することにより各カツトの編集開始点及び編集終了点を検索する。かくして第１〜第４カツトで指定された画面をＳ段のラインに順次並べることにより、ビデオテープ４及び５から得られた映像信号Ｓ１、Ｓ２に基づく映像の各10分間分の中から所望の編集画面を得ることができる。
【００１５】
【発明が解決しようとする課題】
ところが、第１及び第２カツトにおいては、編集開始点及び編集終了点を選びだすための各見出しフレーム画面がそれぞれ１分間隔で表示されることから、表示期間が長すぎることとなり、このためＳ段に示す音声信号Ｓ３、Ｓ４の波形はその振幅のエンベロープ以外は表示されないようになされていた。この結果オペレータは音声信号Ｓ３、Ｓ４の波形の特徴を把握することが困難となる問題があつた。従つて、音声を基準とした編集方法では、従来通り再生した音声をオペレータが耳で聴くことによつて編集開始点及び編集終了点を検索する方法しかないため、編集開始点及び編集終了点の選び出しには時間がかかるという問題があつた。
【００１６】
本発明は以上の点を考慮してなされたもので、オペレータが編集作業を容易かつ短時間で行い得る編集装置を提案しようとするものである。
【００１７】
【課題を解決するための手段】
記録媒体から得られる音声信号を帯域分割手段において所定数の互いに異なる周波数成分に分割した後、グラフイツク化手段において各周波数成分におけるそれぞれの振幅成分に基づいて当該各振幅成分のエンベロープを検出したグラフイツク化すると共に、色づけ又は濃度分けした各振幅成分を順次振幅方向に積み重ねるように合成して、この結果得られる各振幅成分のエンベロープを表示手段に表示するようにする。
【００１８】
互いに異なる周波数成分をグラフイツク化すると共に、色づけ又は濃度分けした上、積み重ねて表示手段に表示するようにしたことにより、オペレータは音声信号の波形の特徴を容易に目視確認することができる。
【００１９】
【実施例】
以下図面について、本発明の一実施例を詳述する。
【００２０】
図５との対応部分に同一符号を付して示す図１において、２０は全体としてノンリニア編集システムを示し、従来のグラフイツク回路９に代えて、グラフイツク回路２１が設けられている。ハードデイスク７から供給された音声信号Ｓ８、Ｓ９は、グラフイツク回路２１内に設けられた互いに異なる周波数帯域をもつバンドパスフイルタ（ＢＰＦ）２２〜２４にそれぞれ送出される。因に、グラフイツク回路２１は、ハードウエア又はマイクロコンピユータに内蔵されたソフトウエアのどちらで構成されていても良い。
【００２１】
ＢＰＦ２２〜２４は、音声信号Ｓ８、Ｓ９を低域、中域及び高域の３通りの周波数成分（以下、これらをそれぞれ低域成分、中域成分及び高域成分と呼ぶ）に分割して、それぞれ低域周波数信号Ｓ１０、中域周波数信号Ｓ１１及び高域周波数信号Ｓ１２としてエンベロープ検出回路２５〜２７に供給する。
【００２２】
ここで図２に示すように、ＢＰＦ２２〜２４は、低域周波数信号Ｓ１０を表す周波数曲線Ｋ１と中域周波数信号Ｓ１１を表す周波数曲線Ｋ２と高域周波数信号Ｓ１２を表す周波数曲線Ｋ３とが互いにクロスオーバーしながら通過するようにそれぞれ予め所定の周波数特性が設定されている。
【００２３】
エンベロープ検出回路２５〜２７は、低域周波数信号Ｓ１０、中域周波数信号Ｓ１１及び高域周波数信号Ｓ１２からそれぞれ周波数の振幅成分を取り出した後、当該各振幅成分に基づいて振幅のエンベロープを検出して、これらを低域振幅データＳ１３、中域振幅データＳ１４及び高域振幅データＳ１５としてそれぞれＲ系グラフイツク回路２８、Ｇ系グラフイツク回路２９及びＢ系グラフイツク回路３０に供給する。
【００２４】
Ｒ系グラフイツク回路２８は、低域振幅データＳ１３に基づく振幅のエンベロープをＲ（Red:赤）系の色を割り当ててグラフイツク化して、これをＲ系グラフイツク信号Ｓ１６としてグラフイツク合成回路３２に送出する。一方、Ｇ系グラフイツク回路２９は、中域振幅データＳ１４に基づく振幅のエンベロープをＧ（Green:緑）系の色を割り当ててグラフイツク化して、これをＧ系グラフイツク信号Ｓ１７としてグラフイツク合成回路３２に送出する。他方、Ｂ系グラフイツク回路３０は、高域振幅データＳ１５に基づく振幅のエンベロープをＢ（Blue: 青）系の色を割り当ててグラフイツク化して、これをＢ系グラフイツク信号Ｓ１８としてグラフイツク合成回路３２に送出する。
【００２５】
一方、ハードデイスク７から出力された映像信号Ｓ６、Ｓ７は、映像グラフイツク回路３１を介してグラフイツク化され、これが映像グラフイツク信号Ｓ１９としてグラフイツク合成回路３２に供給される。
【００２６】
グラフイツク合成回路３２は、Ｒ系グラフイツク信号Ｓ１６、Ｇ系グラフイツク信号Ｓ１７及びＢ系グラフイツク信号Ｓ１８を合成すると共に、さらに映像グラフイツク信号Ｓ１９をも加えて合成することにより、この結果得られた映像音声合成データＳ２０を大画面高細度モニタ１３に送出する。かくして大画面高細度モニタ１３の表示画面１３Ａ上に、映像音声合成データＳ２０に基づく画像が検索情報として表示される。
【００２７】
ここで図３において、この映像音声合成データＳ２０に基づく検索情報のうち音声を基準とした編集画面の一部を示す。すなわち図３は、図６に示す従来の検索情報として表示されたＳ段のラインのうちの第１カツトに相当し、当該第１カツトにおける編集開始点から編集終了点までの音声信号Ｓ８、Ｓ９の振幅成分をグラフイツク化したものである。
【００２８】
この図３（Ａ）〜（Ｃ）において、Ｒ系グラフイツク信号Ｓ１６、Ｇ系グラフイツク信号Ｓ１７及びＢ系グラフイツク信号Ｓ１８に基づいて得られるグラフイツク化された振幅のエンベロープをそれぞれＬ、Ｍ、Ｈで表す。この場合、基準軸Ｘ上に低域成分における振幅のエンベロープ（以下、これを低域エンベロープと呼ぶ）Ｌが赤色で表示され、当該低域エンベロープＬの上に積み重ねるように中域成分における振幅のエンベロープ（以下、これを中域エンベロープと呼ぶ）Ｍが緑色で表示され、さらに当該中域エンベロープＭの上に積み重ねるように高域成分における振幅のエンベロープ（以下、これを高域エンベロープと呼ぶ）Ｈが青色で表示される。
【００２９】
この図３（Ａ）〜（Ｃ）では、具体例としてそれぞれ男性の声Ｐ１、女性の声Ｐ２及び音楽（ピアノ、シンバル又はベースの演奏音）Ｐ３Ａ〜Ｐ３Ｃを表す。図３（Ａ）及び（Ｂ）において、男性の声Ｐ１と女性の声Ｐ２とを比較した場合、一般的に男性の声は女性の声に比べて音程が低いことから、男性の声Ｐ１の方が女性の声Ｐ２よりも低域エンベロープＬが大きくなる一方、中域エンベロープＭが小さくなる。また高域エンベロープＨは、摩擦音等の主として子音を表しており、これには男女の差は特にないため、ほぼ同じ大きさとなる。
【００３０】
また図３（Ｃ）の音楽Ｐ３Ａ〜Ｐ３Ｃは、所定の楽器による音楽演奏の例を示し、各楽器間の相違により低域エンベロープＬ、中域エンベロープＭ及び高域エンベロープＨの全体を占める比率が変化する。例えばピアノの演奏音Ｐ３Ａの場合は中域エンベロープＭが比較的大きく、シンバルの演奏音Ｐ３Ｂの場合は高域エンベロープＨが比較的大きく、またベースの演奏音Ｐ３Ｃの場合は低域エンベロープＬが比較的大きくなつている。
このように表示画面１３Ａ上の検索情報には、第１カツトの音声信号Ｓ８、Ｓ９の波形の特徴を、互いに周波数成分が異なる低域エンベロープＬ、中域エンベロープＭ及び高域エンベロープＨでなる３色の層として表示することができる。
【００３１】
以上の構成において、グラフイツク回路２１は、ハードデイスク７から供給された音声信号Ｓ８、Ｓ９を低域、中域及び高域の３通りの周波数成分に分割した後、それぞれの振幅成分に基づいて振幅のエンベロープＬ、Ｍ、Ｈを検出してこれをグラフイツク化する。このとき低域成分、中域成分及び高域成分における各振幅のエンベロープＬ、Ｍ、Ｈは、それぞれ所定の色が割り当てられ、かつ順次振幅方向に積み重ねられて３色の層となるように表示画面１３Ａ上の検索情報において表示される。
【００３２】
この結果、各カツトにおける音声信号Ｓ８、Ｓ９の波形の特徴が表示画面１３Ａ上の検索情報に表示されることとなり、オペレータはこの検索情報を目視確認しながら、コントローラ８に設けられたジヨグダイヤル（図示せず）を操作制御することによつて、各カツトにおける基準軸Ｘ上に沿つてカーソルを移動させることにより、所望の編集開始点及び編集終了点を検索することができる。かくして、従来のように再生した音声をオペレータが耳で聴くことによつて所望の編集開始点及び編集終了点を検索する方法よりも格段と検索時間を短縮させることができる。
【００３３】
以上の構成によれば、ハードデイスク７から供給された音声信号Ｓ８、Ｓ９を低域、中域及び高域の３通りの周波数成分に分割した後、それぞれの振幅成分に基づいて振幅のエンベロープＬ、Ｍ、Ｈを検出してこれをグラフイツク化し、各々を所定の色で着色して３色の層となるように順次振幅方向に積み重ねて表示するようにしたことにより、オペレータは各カツトにおける音声信号Ｓ８、Ｓ９の波形の特徴を容易に目視確認することができる。この結果オペレータは各カツト毎に所望の編集開始点及び編集終了点を比較的短時間で検索することができ、かくしてオペレータは編集作業を容易かつ短時間で行うことができる。
【００３４】
なお上述の実施例においては、表示画面１３Ａ上の検索情報に、各カツトの音声信号Ｓ８、Ｓ９の波形の特徴を、互いに周波数成分が異なる低域エンベロープＬ、中域エンベロープＭ及び高域エンベロープＨをそれぞれ赤色、緑色及び青色でなる３色の層として表示する場合について述べたが、本発明はこれに限らず、オペレータが各カツトにおける音声信号Ｓ８、Ｓ９の波形の特徴を容易に目視確認することができれば、所定の色で着色するようにしても良く、また２色又は４色以上の所定数の色の層として表示するようにしても良い。さらに所定の色で色分けすることなく、色の濃さで所定数の種類の層として表示するようにしても良い。
【００３５】
また上述の実施例においては、各カツトにおける音声信号Ｓ８、Ｓ９の波形として、基準軸Ｘ上にＲ系グラフイツク信号Ｓ１６、Ｇ系グラフイツク信号Ｓ１７及びＢ系グラフイツク信号Ｓ１８に基づく振幅のエンベロープＬ、Ｍ、Ｈをそれぞれ所定の色で着色して３色の層となるように振幅方向に積み重ねて表示するようにした場合について述べたが、本発明はこれに限らず、振幅のエンベロープＬ、Ｍ、Ｈをそれぞれ振幅に対応した比率で当該各エンベロープＬ、Ｍ、Ｈの色を混合して表示するようにしても良い。
【００３６】
この場合、図３（Ａ）〜（Ｃ）に対応して表された図４（Ａ）〜（Ｃ）に示すように、表示画面１３Ａ上の検索情報に、具体例としてそれぞれ男性の声Ｑ１、女性の声Ｑ２及び音楽（ピアノ、シンバル又はベースの演奏音）Ｑ３Ａ〜Ｑ３Ｃを表す。これらはそれぞれ振幅のエンベロープＬ、Ｍ、Ｈが各振幅に対応した比率で混合されて全体として１色で表示されており、この色相の変化をオペレータが目視確認することにより、各カツトにおける音声信号Ｓ８、Ｓ９の波形の特徴を把握するようになされている。
【００３７】
ここで低域エンベロープＬを赤色、中域エンベロープＭを緑色及び高域エンベロープＨを青色で表示する場合、図４（Ａ）の男性の声Ｑ１では、低域エンベロープＬが比較的大きいため、全体として赤色で表示される。また図４（Ｂ）の女性の声Ｑ２では、中域エンベロープＭが比較的大きくなるため全体として緑色で表示される。さらに図４（Ｃ）の音楽Ｑ３Ａ〜Ｑ３Ｃでは、ピアノの演奏音Ｑ３Ａの場合は中域エンベロープＭが比較的大きいため全体として緑色で表示され、、またシンバルの演奏音Ｑ３Ｂの場合は高域エンブロープＨが比較的大きいため青色で表示され、さらにベースの演奏音Ｑ３Ｃの場合は低域エンベロープＬが比較的大きいため赤色で表示される。また、同じ楽器による演奏音であつても音程により色相は変化する。
【００３８】
【発明の効果】
上述のように本発明によれば、帯域分割手段によつて分割された音声信号の各周波数成分をグラフイツク化すると共に、色づけ又は濃度分けした上、積み重ねて表示手段に表示するようにしたことにより、オペレータは音声信号の波形の特徴を容易に目視確認することができ、その結果オペレータは編集作業を容易かつ短時間で行い得る編集装置を実現し得る。
【図面の簡単な説明】
【図１】本発明によるノンリニア編集システムの一実施例を示すブロツク図である。
【図２】本発明によるＢＰＦの周波数特性を示す特性曲線図である。
【図３】本発明による検索情報の表示の説明に供する略線図である。
【図４】他の実施例による検索情報の表示の説明に供する略線図である。
【図５】従来のノンリニア編集システムの構成を示すブロツク図である。
【図６】従来の表示画面上の表示状態を示す平面図である。
【符号の説明】
１……ノンリニア編集システム、６……ＶＴＲ、７……ハードデイスク、８……コントローラ、９、２１……グラフイツク回路、１２、３２……グラフイツク合成回路１３……大画面高細度モニタ、１３Ａ……表示画面、２２〜２４……ＢＰＦ、２５〜２７……エンベロープ検波回路、２８……Ｒ系グラフイツク回路、２９……Ｇ系グラフイツク回路、３０……Ｂ系グラフイツク回路、３１……映像グラフイツク回路。
【図１】
0003729356.tif 000002
【図２】
0003729356.tif 000003
【図３】
0003729356.tif 000004
【図４】
0003729356.tif 000005
【図５】
0003729356.tif 000006
【図６】
0003729356.tif 000007